(57)【要約】      （修正有）【課題】使用時に衣服が便器に触れず、不快感を生じない便座シートを提供する。【解決手段】便座Ｂに載置されるシート状の便座載置部２前端に少なくとも便座Ｂの前部と便器Ａの前突出部を覆う前垂れ部３が設けられた便座シート１であって、便座シート１は、便座開口部Ｃと対面する位置に切り込み部５を有するとともに、便座シート１の長手方向の中心線４を通り、便座載置部２及び前垂れ部３を谷折りする谷折り目６を有し、前垂れ部３は、谷折り目６を通る中央側の第一の折り返し部１１を便座シート１の両側の第二の折り返し部１２よりも前方方向に突出させて、便座シート１の裏面側に折り返す山折りにより形成した。【選択図】図１
2013000539.tif 000002
【特許請求の範囲】
【請求項１】
便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、便座シートの長手方向の中心線を通り、前記便座載置部及び前記前垂れ部を谷折りする谷折り目を有し、前記前垂れ部は、前記谷折り目を通る中央側の第一の折り返し部を前記便座シートの両側の第二の折り返し部よりも前方方向に突出させて、便座シートの裏面側に折り返す山折りにより形成したことを特徴とする便座シート。
【請求項２】
便座載置部の前側は、便座の形状に合うように、便座載置部と前垂れ部との境界線の所定位置と便座載置部の両側端縁の所定位置とを結ぶ第一の折り返し部にて山折りされていることを特徴とする請求項１記載の便座シート。
【請求項３】
便座載置部の前側は、便座の形状に合うように、便座載置部と前垂れ部との境界線の所定位置と便座載置部の両側端縁の所定位置とを結ぶ第一の折り返し部にて山折りされるとともに、前記第一の折り返し部の便座載置部の表面側に第二の折り返し部にて谷折りされており、第二の折り返し部の端部に指で把持することが可能な摘み部が形成されていることを特徴とする請求項１記載の便座シート。  
【発明の詳細な説明】
【技術分野】
【０００１】
本発明は、洋式の便座に使用する便座シートに関するものである。        
【背景技術】
【０００２】
従来の便座シートは、特許文献１に示すように、使用時に便座上に載置されるシート状のものが一般的である。しかしながら、このものにあっては、便座の前部と便器の前突出部を覆う前垂れ部が設けられておらず、使用時に衣服が便座と便器との隙間に入ったりして便器に触れ、不快感を生じるという問題点があった。この問題点を解消するために、提案された特許文献２に示すものは、Ｙ字形に形成されていて、Ｙ字のＶ部分を便座に載置し、Ｉ部分を便器の前面部に垂らすようにしたものであるが、Ｙ字形に紙を裁断する必要があり、紙の歩留まりが悪いという問題点と、垂下部は単に垂らしたものであるため、便座シートは不安定であり、便座からずれたり、ずり落ちてしまうという問題点があり、このものにあっても、使用時に衣服が便座と便器との隙間に入ったりして便器に触れ、不快感を生じるという問題点を解消できなかった。この問題点を解消するために、提案された特許文献３に示すものは、便座の表面形状に対応した形状のカバー部と便器の前面部と両側面部とで構成されているが、紙の歩留まりが悪く製造しにくいという問題点と、便座及び便器の全体を被せるものであるため、被せるのに手間がかかり、使い勝手が悪いという問題点があった。
【先行技術文献】
【特許文献】
【０００３】
【特許文献１】特開２００３−３１９８９１号公報
【特許文献２】特開２００３−２３５７６２号公報
【特許文献３】特開２００６−２８９０２９号公報
【発明の概要】
【発明が解決しようとする課題】
【０００４】
本発明が解決しようとする課題は、使用時、衣服が便器に触れず不快感が無いとともに、紙の歩留まりも良く、使い勝手の良い便座シートを提供することにある。
【課題を解決するための手段】
【０００５】
本発明は、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、便座シートの長手方向の中心線を通り、前記便座載置部及び前記前垂れ部を谷折りする谷折り目を有し、前記前垂れ部は、前記谷折り目を通る中央側の第一の折り返し部を前記便座シートの両側の第二の折り返し部よりも前方方向に突出させて、便座シートの裏面側に折り返す山折りにより形成し、上記課題を解決したものである。
【発明の効果】
【０００６】
本発明の便座シートは、便座に載置されるシート状の便座載置部の前端に少なくとも便座の前部と便器の前突出部を覆う前垂れ部が設けられた便座シートであって、前記便座シートは、便座開口部と対面する位置に切り込み部を有するとともに、便座シートの長手方向の中心線を通り、前記便座載置部及び前記前垂れ部を谷折りする谷折り目を有し、前記前垂れ部は、前記谷折り目を通る中央側の第一の折り返し部を前記便座シートの両側の第二の折り返し部よりも前方方向に突出させて、便座シートの裏面側に折り返す山折りにより形成したことを特徴とするものであるから、使用時、衣服が便器に触れず不快感が無いとともに、紙の歩留まりも良いという効果があり、更に、便座載置部の裏面側に折り返した山折りの端部を把持して左右に拡げることにより、山折りされて便座載置部と重合された前垂れ部が便座載置部から離れるとともに拡がるので、便座に容易に被せることができるという効果がある。
【図面の簡単な説明】
【０００７】
【図１】本発明の第一実施例における便座シートの展開図。
【図２】本発明の第一実施例における便座シートを洋式の便器に取り付けた状態を示す正面図。
【図３】本発明の第一実施例における便座シートを洋式の便器に取り付けた状態を示す斜視図。
【図４】本発明の第二実施例における便座シートの裏面図。
【図５】本発明の第一実施例における便座シートの製作図（１）
【図６】本発明の第二実施例における便座シートの展開図。
【図７】本発明の第二実施例における便座シートを洋式の便器に取り付けた状態を示す正面図。
【図８】本発明の第二実施例における便座シートを洋式の便器に取り付けた状態を示す斜視図。
【図９】本発明の第二実施例における便座シートの裏面図。
【図１０】本発明の第二実施例における便座シートの製作図（１）
【図１１】本発明の第二実施例における便座シートの製作図（２）
【図１２】本発明の第二実施例における便座シートの製作図（３）
【図１３】本発明の第二実施例における便座シートの製作図（４）
【図１４】本発明の第二実施例における便座シートの製作図（５）
【発明を実施するための形態】
【０００８】
以下、本発明の第一実施例の形態を図１〜図５に基づいて説明する。
【実施例】
【０００９】
便座シート１は、採便シートのような水溶性の長方形形状の厚手の紙でできており、便座Ｂに載置される便座載置部２と、便座載置部２の一端に少なくとも便座Ｂの前部と便器Ａの前突出部を覆う前垂れ部３が設けられている。便座シート１には、便座Ｂの開口部Ｃと対面する位置であって、便座シート１の長手方向の中心線４を通る位置に排出物を通過させるための切り込み部５が形成されている。切り込み部５は、便座Ｂの開口部Ｃよりも３センチメートル程度小さく形成されており、水洗する紙の量を少なくしている。
【００１０】
便座シート１は、便座シート１の長手方向における中心線４で谷折りし、便座載置部２と前垂れ部３を谷折りする谷折り目６を設けている。便座載置部２と前垂れ部３との境界線７は、山折りされており、その山折りは、便座シート１の谷折り目６を通る中央側の第一の折り返し点８を便座シート１の両側の第二の折り返し点９よりも便座シート１の前方方向に突出させて便座シート１の裏面側に折り返したものであり、その結果、便座シート１の中心線４よりも一部が三角形状に突出した三角形状部１０を有する前垂れ部３が形成される。便座シート１の両側の第二の折り返し点９を把持して便座シート１を拡げると、谷折りされた便座載置部２は平面状となり、前垂れ部３は便座シート１の中心線４よりも一部が三角形状に突出した三角形状部１０を有しているので、その三角形状部１０は便座シート１の第一の折り返し点８を中心に前方に移動するとともに、前垂れ部３が便座載置部２の裏側から離れ、便座Ｂの前部と便器Ａの前突出部を覆う前垂れ部３が現出される。
【００１１】
便座載置部２の前側は、便座載置部２と前垂れ部３との境界線７の所定位置と便座載置部２の両側端縁の所定位置とを結ぶ第一の折り返し部１１にて山折りされて便座Ｂの形状に合うようにされるとともに、第一の折り返し部１１の便座載置部２の表面側に第二の折り返し部１２にて谷折りされており、第二の折り返し部１２の端部に指で把持することが可能な摘み部１３が形成されており、把持する位置が解るようにしている。摘み部１３は、第一の折り返し部１１よりも突出している方が把持し易いが、突出していなくても構わないものである。
【００１２】
第一の折り返し部１１と前垂れ部３とが重なる箇所が接着されるとともに、第一の折り返し部１１と第二の折り返し部１２とが重なる箇所が接着されており、摘み部１３を把持して便座シート１を拡げることで便座Ｂの前部と便器Ａの前突出部Ｃを覆う前垂れ部３が便座載置部２の裏側から離れ、便座Ｂの前部と便器Ａの前突出部を覆う前垂れ部３が現出されるのを動作に無駄なくできるようにしているが、第一の折り返し部１１と前垂れ部３とが重なる箇所を接着しただけでも構わないものである。
【００１３】
便座載置部２と前垂れ部３との境界線７は、山折りされており、その山折りは、便座シート１の谷折り目６を通る中央側の第一の折り返し点８を便座シート１の両側の第二の折り返し点９よりも便座シート１の前方方向に突出させて便座シート１の裏面側に折り返したものであり、便座載置部２と前垂れ部３との境界線７における山折りにおいて、便座シート１の谷折り目６を通る中央側の第一の折り返し点８と便座シート１の両側の第二の折り返し点９との突出長さを変えることで境界線７を便座Ｂの形状に合わせることができ、標準の便座Ｂに対応させれば良いが、実施例では、Ｌ１＝６５ミリメートル突出させている。山折りの位置は、実施例では便座シート１の第一の折り返し点８からＬ２＝１８０ミリメートルの位置にしているが、便座Ｂの前部と便器Ａの前突出部を覆う範囲により任意に設定すれば良いものである。山折りは、便座シート１の長手方向の端縁から端縁に跨って中心線４で谷折りし、谷折り目６の途中位置から山折りしても構わないものであり、便座シート１の長手方向の端縁から中間位置まで中心線４で谷折りし、谷折り目６の終端位置から山折りしても構わないものである。
【００１４】
第一の折り返し部１１の位置は、実施例では便座載置部２の前端部側が便座シート１の折り返し点８からＬ３＝８０ミリメートル離れた位置であり、便座載置部２の両端部側が便座シート１の両側の第二の折り返し点９からＬ４＝８０ミリメートルの位置であり、便座Ｂの形状に合うようにされている。
【００１５】
第二の折り返し部１２の位置は、実施例では便座載置部２の前端部側が便座シート１の折り返し点８からＬ５＝１６０ミリメートル離れた位置であり、便座載置部２の両端部側が便座シート１の両側の第二の折り返し点９からＬ４＝８０ミリメートルの位置であり、第一の折り返し部８の位置と同位置である。
【００１６】
便座シート１は、横が３８０ミリメートル、縦が５４０ミリメートルの長方形に形成されているが便座Ｂの側面を覆う大きさに形成されていても構わないものである。便座シート１は、水溶性の不織布のように水溶性の材質でできておれば、紙以外のものでも良いし、水溶性でなくても構わないものである。
【００１７】
摘み部１３は、第一の折り返し部１１よりも突出している方が把持し易いが、突出していなくても構わないものである。また、摘み部１３は、便座シート１から突出するように便座シート１よりも厚く、硬い材質のもので別体に形成しても構わないとともに、色を付けることで把持する位置が解るようにしたり、切り起こしにより形成しても構わないものである。
【００１８】
以下、本発明の第二実施例の形態を図６〜図１４に基づいて説明する。
本発明の第一実施例と同一の符号が付与されたものは、本発明の第一実施例と同一の構成であるため、説明を省略する。
【００１９】
便座載置部２及び前垂れ部３には、谷折れ目６に対し交差する方向に複数の屏風折り目２２を有しており、便座シート２１をコンパクトに折り畳めるようになっている。
【００２０】
便座シート２１の裏面側における切り込み部５の残片２３にはコンパクトに折り畳んだ便座シート２１をカバーする包装帯体２４が設けられている。包装帯体２４が切り込み部５の残片２３に設けられたものは、包装帯体２４の位置調整が可能となり、折り畳んだ便座シート２１を確実にカバーできる。包装帯体２４も水溶性の材料でできたものは、水洗が可能である。
【００２１】
前垂れ部３の裏面上部には、固定紐２５が設けられている。この固定紐２５は、便器Ａと便座Ｂに挟まれて便座シート２１が便器Ａに固定され、便座載置部２が便座Ａの適正位置に固定される。
尚、便座載置部２の裏面に両面テープや粘着材を設けて、便座シート１、２１が動かないようにしたり、屏風折り目２２が肌に接することによる不快感を防止するようにしても構わない。
【００２２】
図９に示すように、便座シート１は、便座シート１の長手方向における中心線４で谷折りし、便座シート１の谷折り目６を通る中央側の第一の折り返し点８を便座シート１の両側の第二の折り返し点９よりも便座シート１の前方方向に突出させて便座シート１の裏面側に折り返して前垂れ部３を形成した後、図１０に示すように、前垂れ部３の三角形状部１０を前垂れ部３側に折り、その後、便座シート２１を屏風折り目２２で屏風折りし、図１１に示すように、包装帯体２４に収まるように折り畳み、その後、図１２に示すように、便座シート２１を包装帯体２４に挟み、包装帯体２４の３辺をミシン目２６で留めているが、摘み部１３を左右に開くだけで、包装帯体２４が開くと同時に便座シート２１も開き、図１２に示すように、便座Ｂ上にセットできる状態になり、包装帯体２４は便座の開口部Ｃに入り、便座載置部２の先端と便座Ｂを持ち上げ、便座シート２１と便座Ｂを合わせることにより固定紐２５が便座Ｂと便器Ａとの間に挟まって固定されるのである。使用後は、便座シート２１の先端を持ち上げることにより、ミシン目で繋いであった固定紐２５のミシン目が外れ、便座Ｂの開口部Ｃから入れるだけで便座シート２１及び包装帯体２４の全てが水洗処理されるのである。
【符号の説明】
【００２３】
Ａ    便器
Ｂ    便座
Ｃ    便座の開口部
１    便座シート
２    便座載置部
３    前垂れ部
４    中心線
５    切り込み部
６    谷折り目
７    境界線
８    第一の折り返し点
９    第二の折り返し点
１１    第一の折り返し部
１２    第二の折り返し部
１３    摘み部
【図１】
2013000539.tif 000003
【図２】
2013000539.tif 000004
【図３】
2013000539.tif 000005
【図４】
2013000539.tif 000006
【図５】
2013000539.tif 000007
【図６】
2013000539.tif 000008
【図７】
2013000539.tif 000009
【図８】
2013000539.tif 000010
【図９】
2013000539.tif 000011
【図１０】
2013000539.tif 000012
【図１１】
2013000539.tif 000013
【図１２】
2013000539.tif 000014
【図１３】
2013000539.tif 000015
【図１４】
2013000539.tif 000016